(57)【要約】【課題】視認性の高い釣糸挿通具の提供。【解決手段】この釣糸挿通具１０は、インナーガイドタイプの釣竿に釣糸を挿通するための道具である。線状部材１３の一端部に糸掛部１５が設けられ、他端部１２に挿入案内部１６が設けられている。これら糸掛部１５及び挿入案内部１６は、高い視認性を備える。具体的には、挿入案内部１６及び止具１８に蛍光塗料が塗布されている。【選択図】  図１
2004180615.tif 000002
【特許請求の範囲】
【請求項１】
インナーガイドタイプの釣竿に釣糸を挿通するための線状に形成された釣糸挿通具において、
端部が高視認性構造を備えていることを特徴とする釣糸挿通具。
【請求項２】
上記高視認性構造は、上記端部に蛍光塗料が塗布されたものである請求項１記載の釣糸挿通具。
【請求項３】
可撓性を有する線状部材と、
線状部材の一端部に設けられた挿入案内部と、
線状部材の他端部に止具によってかしめ止めされた糸掛部とを有し、
上記挿入案内部に蛍光塗料が塗布されている釣糸挿通具。
【請求項４】
上記止具に蛍光塗料が塗布されている請求項３記載の釣糸挿通具。
【発明の詳細な説明】
【０００１】
【発明の属する技術の分野】
この発明は、釣糸挿通具、すなわち、インナーガイドタイプの釣竿に釣糸を挿通するための道具に関するものである。
【０００２】
【従来の技術及び発明が解決しようとする課題】
いわゆるインナーガイドタイプの釣竿は、釣糸が釣竿本体の内部に挿通され、釣竿本体によって支持案内されるようになっている。このため、釣人がインナーガイドタイプの釣竿を使用した釣りを始める際には、釣糸を釣竿の内部に挿通する作業が必要となる。釣人は、この作業を行うために釣糸挿通具を使用するが、当該作業が円滑に行われるために、従来から釣糸挿通具は、種々の改良が施されている（例えば、特許文献１参照）。
【０００３】
図２は、従来の釣糸挿通具１を用いた釣糸挿通作業の要領を示す図である。
同図が示すように、釣糸挿通具１は、線状部材２を主体として構成されており、その先端部に挿入案内部３が形成され、一方、その後端部に環状の糸掛部４が形成されている。
釣人は、まず、糸掛部４に釣糸５を引っ掛ける。そして、釣人は、挿入案内部３を手に取り、釣竿本体６に設けられた釣糸導入口７に挿入すると共に、線状部材２を順次矢印８の方向に沿って釣糸導入口７に送り込む。これにより、釣糸挿通具１は、釣竿本体６の先端部から繰り出され、釣人は、当該釣糸挿通具１を釣竿本体６の先端部から引き抜く。引き抜かれた釣糸挿通具１の糸掛部４には、上記釣糸５が引っ掛けられているから、当該釣糸５は、釣竿本体６の内部に挿通されたことになる。
【０００４】
【特許文献１】
特開２０００−３００１３７号公報
【０００５】
ところで、釣糸挿通具１は、釣竿本体６の内部に挿入されるものであるから、上記線状部材２は、きわめて細径の部材である。このため、特に明け方や夕暮れ時において、釣人が釣糸挿通具１を釣り場（磯等）に不用意に載置した場合は、釣糸挿通具１を目視することが困難となり、釣りの準備を迅速に行うことができなくなるという問題があった。
そこで、本発明の目的は、視認性の高い釣糸挿通具を提供することである。
【０００６】
【課題を解決するための手段】
（１）  上記目的を達成するため、本願に係る釣糸挿通具は、インナーガイドタイプの釣竿に釣糸を挿通するための線状に形成された釣糸挿通具において、端部が高視認性構造を備えていることを特徴とするものである。
この構成によれば、釣糸挿通具の端部の視認性が高い。したがって、釣糸挿通具が線状に形成されていても、釣人は、釣糸挿通具の端部を容易に目視することができる。
釣糸挿通具は、他端側に釣糸が係止された状態で一端側から釣竿に挿通されるものである。したがって、釣糸挿通具の両端部が高視認性を備えていることが望ましい。
上記高視認性構造は、上記端部に蛍光塗料が塗布されることにより構成される。かかる構造が採用されることにより、上記高視認性構造が簡単且つ安価に構成される。
【０００７】
（２）  また、上記目的を達成するため、本願に係る釣糸挿通具は、可撓性を有する線状部材と、線状部材の一端部に設けられた挿入案内部と、線状部材の他端部に止具によってかしめ止めされた糸掛部とを有し、上記挿入案内部に蛍光塗料が塗布されていることを特徴とするものである。
この構成によれば、挿入案内部に蛍光塗料が塗布されているから、挿入案内部の視認性が高い。したがって、釣糸挿通具が線状に形成されていても、釣人は、釣糸挿通具の挿入案内部を容易に目視することができる。しかも、視認性が向上されるために、蛍光塗料が塗布されているのみであるから、視認性が向上されるための構造が簡単且つ安価である。
また、上記止具にも蛍光塗料が塗布されているのが望ましい。釣糸挿通具は、糸掛部に釣糸が係止された状態で挿通案内部から釣竿に挿通されるものであるから、挿通案内部及び糸掛部の双方の視認性が向上されることによって、釣人は、釣糸挿通具の両端部を容易に目視することができる。
【０００８】
【発明の実施の形態】
以下、適宜図面が参照されつつ、好ましい実施形態に基づいて本発明が詳細に説明される。
【０００９】
図１は、本発明の一実施形態に係る釣糸挿通具１０の斜視図である。
この釣糸挿通具１０は、インナーガイドタイプの釣竿に釣糸を挿通するための道具であり、他端部１１に釣糸が引っ掛けられた状態で一端部１２が釣竿の釣糸導入孔に挿入される。釣糸挿通具１０は、漸次釣竿の内部に送り込まれ、釣竿の先端部から引き抜かれる。これにより、当該釣糸は、当該釣竿の内部に挿通される。
本実施形態に係る釣糸挿通具１０の特徴とするところは、上記一端部１２及び他端部１１が高視認性構造を備えている点である、これにより、釣人は、視界が悪い状況においても釣糸挿通具１０を確実に目視することができるようになっている。
【００１０】
釣糸挿通具１０は、全体として線状に形成されており、線状部材１３と、線状部材１３の一端部１２に設けられた挿入案内部１４と、線状部材１３の他端部１１に設けられた糸掛部１５とを備えている。なお、同図では、線状部材１３の中間部分は、環状に巻回された状態で図示されている。
線状部材１３は、金属製のワイヤから構成されており、全長が１０００ｍｍ〜２５００ｍｍ程度に設定されている。線状部材１３は、単一の部材からなり、その外径（線径）は、０．３ｍｍ〜０．６ｍｍに設定されている。したがって、線状部材１３は、高い可撓性を備え、自在に湾曲することができる。
【００１１】
挿入案内部１４は、略円錐形状に形成されており、その底面部１６は、略球面状に形成されている。挿入案内部１４は、炭素鋼、ステンレス鋼、チタン合金等の金属材料、アクリロニトリルブタジエンスチレン共重合体（ＡＢＳ樹脂）等の樹脂、強化ガラス等により構成されている。
挿入案内部１４は、例えば接着剤等により線状部材１３に固着されている。具体的には、挿入案内部１４の上面１７に微小孔が設けられ、この微小孔に接着剤と共に線状部材１３の一端部１２が挿入される。
【００１２】
挿入案内部１４は、前述の高視認性構造を備えており、本実施形態では、挿入案内部１４の表面に蛍光塗料がコーティングされている。塗料は、例えば水性蛍光塗料（水性アクリル樹脂塗料）等が採用される。蛍光塗料に用いられる蛍光顔料は、特に限定されるものではない。ただし、蛍光塗料のほかに、硫化亜鉛を含む夜光塗料や蓄光顔料を含む蓄光塗料等が採用されていてもよい。蓄光顔料としては、例えば、アルミナ、ストロンチウム混合物であって重金属、放射性物質を含まないものが採用され得る。
本実施形態では、挿入案内部１４の視認性が向上されるための構造として、上記蛍光塗料若しくは蓄光塗料が塗布される構造が採用されているが、視認性を向上させるための構造は、例えば光の反射率が高くなるような構造等、既知の構造が採用され得る。
【００１３】
糸掛部１５は環状に形成されており、止具１８によって線状部材１３の他端部１１にかしめ止めされている。
この糸掛部１５は、金属製のワイヤ等により構成されている。糸掛部１５を構成するワイヤの外径（線径）は、０．２ｍｍ〜０．４ｍｍに設定されている。なお、糸掛部１５は、きわめて細径の素線部材が撚り合わされて構成されていてもよい。
糸掛部１５は、全長が３０ｍｍ〜７０ｍｍ程度に設定されている。糸掛部１５は、図１が示すように、中間部が湾曲されて両端部が揃えられており、当該両端部と上記線状部材１３の一端部１１とが止具１８によってかしめられている。
【００１４】
糸掛部１５は、前述の高視認性構造を備えており、本実施形態では、上記止具１８の表面に蛍光塗料がコーティングされている。塗料は、例えば水性蛍光塗料（水性アクリル樹脂塗料）等が採用される。蛍光塗料に用いられる蛍光顔料は、特に限定されるものではない。ただし、蛍光塗料のほかに、硫化亜鉛を含む夜光塗料や蓄光顔料を含む蓄光塗料等が採用されていてもよい。蓄光顔料としては、例えば、アルミナ、ストロンチウム混合物であって重金属、放射性物質を含まないものが採用され得る。
本実施形態では、糸掛部１５の視認性が向上されるための構造として、上記蛍光塗料若しくは蓄光塗料が上記止具１８に塗布される構造が採用されているが、視認性を向上させるための構造は、例えば光の反射率が高くなるような構造等、既知の構造が採用され得る。
【００１５】
このように、釣糸挿通具１０は、その端部１１，１２の視認性が高いので、釣糸挿通具１０が上記構成の線状部材１３により主体的に形成されていても、釣人は、釣糸挿通具１０の一端部１２又は他端部１１を容易に目視することができる。したがって、釣人が磯等の釣り場に釣糸挿通具１０を不用意に載置した場合であっても、釣人は、釣糸挿通具１０を確実に目視することができる。その結果、明け方や夕暮れ時等の視界が悪くなる時期においても、釣人は、迅速に釣りの準備を行うことができる。
【００１６】
ところで、釣糸挿通具１０は、糸掛部１５に釣糸が係止された状態で挿入案内部１４側から釣竿に挿通されるものであるから、本実施形態に係る釣糸挿通具１０のように、両端部１１，１２が高視認性を備えていることによって、釣人は、釣糸挿通具１０のいずれの側に釣糸が引っ掛けられるべきであるのかを容易に判断することができる。これにより、釣人は、釣糸挿通具１０の方向（向き）を確認することなく、一層迅速に釣りの準備を行うことができる。
しかも、上記両端部１１，１２の視認性が向上されるための構造は、当該両端部１１，１２に蛍光塗料等が塗布されたものであるから、当該構造が簡単且つ安価に構成されるという利点がある。
さらに、本実施形態に係る釣糸挿通具１０では、上記蛍光塗料等は、挿入案内部１４及び糸掛部１５に塗布されているから、釣糸挿通具１０全体あるいは線状部材１３の全体が塗装される場合に比べて塗装作業が簡単で安価に行われるという利点もある。
【００１７】
本実施形態では、上記挿入案内部１４及び上記止具１５に蛍光塗料が塗布されているが、少なくともいずれか一方のみに蛍光塗料が塗布されている場合であってもよい。その場合であっても、釣人は、釣り場において釣糸挿通具１０を確実に目視することができる。
また、本実施形態では、上記挿入案内部１４及び上記止具１５のみに蛍光塗料が塗布されているが、この近傍にも、したがって上記線状部材１３の一部にも蛍光塗料が塗布されていてもよいことは勿論である。
【００１８】
【発明の効果】
以上のように本発明によれば、釣糸挿通具の端部の視認性が高いので、釣人が磯等の釣り場に釣糸挿通具を不用意に載置した場合であっても、釣人は、釣糸挿通具を確実に目視することができる。その結果、明け方や夕暮れ時等の視界が狭まる時期においても、釣人は、迅速に釣りの準備を行うことができる。
【図面の簡単な説明】
【図１】図１は、本発明の一実施形態に係る釣糸挿通具の斜視図である。
【図２】図２は、従来の釣糸挿通具を用いた釣糸挿通作業の要領を示す図である。
【符号の説明】
１０・・・釣糸挿通具
１１・・・他端部
１２・・・一端部
１３・・・線状部材
１４・・・挿入案内部
１５・・・糸掛部
１８・・・止具
【図１】
2004180615.tif 000003
【図２】
2004180615.tif 000004